(57)【要約】【課題】通信負荷の増大を抑制しつつ、ユーザの属性に即したコンテンツを取得可能とすることである。【解決手段】本発明に係る携帯端末１０は、ユーザ属性情報格納部１１と広告データ受信部１３と属性情報照合部１４とお知らせ情報表示部１５とコンテンツ受信部１７とを備える。ユーザ属性情報格納部１１には、携帯端末１０のユーザの性別、年齢、職業、趣味嗜好が格納されている。携帯端末１０は、広告配信サーバ２０から送信された広告データを広告データ受信部１３により受信すると、属性情報照合部１４により属性情報の照合を開始し、各々の属性情報の一致する広告データを抽出する。お知らせ情報表示部１５は、抽出された広告データに記録されているお知らせ情報をユーザに提示する。所望のコンテンツに係るお知らせ情報をユーザが指定すると、コンテンツ受信部１７により該コンテンツがダウンロードされる。【選択図】  図１
2004355555.tif 000002
【特許請求の範囲】
【請求項１】
通信端末のユーザの属性情報を格納する格納手段と、
対応するコンテンツの配信対象となるユーザの属性情報及び該コンテンツの位置情報を含む広告データを受信する受信手段と、
前記格納手段に格納されているユーザ属性情報と、前記受信手段により受信された前記広告データに含まれるユーザ属性情報とを照合し、これらのユーザ属性情報が一致する広告データを抽出する照合抽出手段と、
前記照合抽出手段により抽出された広告データの少なくとも一部の情報を前記ユーザに提示する提示手段と
を備えることを特徴とする通信端末。
【請求項２】
前記提示手段により提示された情報を基に選択されたコンテンツの送信を、前記位置情報の示すコンテンツ提供元に対して要求すると共に、当該コンテンツを取得する取得手段を更に備えることを特徴とする請求項１に記載の通信端末。
【請求項３】
通信端末のユーザの属性情報を格納手段に格納させる機能と、
対応するコンテンツの配信対象となるユーザの属性情報及び該コンテンツの位置情報を含む広告データを受信させる機能と、
前記格納手段に格納されているユーザ属性情報と、受信された前記広告データに含まれるユーザ属性情報とを照合させ、これらのユーザ属性情報が一致する広告データを抽出させる機能と、
抽出された広告データの少なくとも一部の情報を前記ユーザに提示させる機能と
を前記通信端末に実現させることを特徴とするデータ受信プログラム。
【発明の詳細な説明】
【０００１】
【発明の属する技術分野】
本発明は、通信端末、及びデータ受信プログラムに関する。
【０００２】
【従来の技術】
従来、無線通信の高速化・大容量化に伴い、インターネット等のネットワークを経由して、電子データ化されたコンテンツをユーザに有償若しくは無償で提供するシステムが実用化されている。このようなシステムとして、例えば、以下に説明する情報配信システムが開示されている（例えば、特許文献１。）。すなわち、情報配信装置が、ターゲット情報の付加されたコンテンツを無線基地局から同報配信し、携帯電話に予め登録されたユーザ属性情報と上記ターゲット情報とが一致した場合に、携帯電話は配信されたコンテンツを記憶する。これにより、ユーザは、自己の属性情報をサーバ側に登録することなく、年齢や趣味に合ったコンテンツを取得することができる。
【０００３】
【特許文献１】
特開２００２−３５１９１５号公報
【０００４】
【発明が解決しようとする課題】
しかしながら、上記従来技術においては、携帯電話は、サーバ装置から同報配信された全てのコンテンツを一旦受信した後に、当該コンテンツの配信対象となるユーザの属性情報と予め登録されたユーザ属性情報との照合を行う。したがって、ユーザが実際には使用することのないコンテンツまでが送受信されることになり、通信データ容量の増大に伴う通信リソースの浪費が懸念される。かかる難点は、ユーザの所望するコンテンツのデータ容量が大きい場合には特に顕著であった。
【０００５】
そこで、本発明の課題は、通信負荷の増大を抑制しつつ、ユーザの属性に即したコンテンツを取得可能とすることである。
【０００６】
【課題を解決するための手段】
上記課題を解決すべく、本発明に係る通信端末は、通信端末のユーザの属性情報を格納する格納手段と、対応するコンテンツの配信対象（ターゲット）となるユーザの属性情報（コンテンツ属性情報）及び該コンテンツの位置情報を含む広告データを受信する受信手段と、前記格納手段に格納されているユーザ属性情報と、前記受信手段により受信された前記広告データに含まれるユーザ属性情報とを照合し、これらのユーザ属性情報が一致する広告データを抽出する照合抽出手段と、前記照合抽出手段により抽出された広告データの少なくとも一部の情報を前記ユーザに提示する提示手段とを備える。
【０００７】
また、本発明に係るデータ受信プログラムは、通信端末のユーザの属性情報を格納手段に格納させる機能と、対応するコンテンツの配信対象（ターゲット）となるユーザの属性情報（コンテンツ属性情報）及び該コンテンツの位置情報を含む広告データを受信させる機能と、前記格納手段に格納されているユーザ属性情報と、受信された前記広告データに含まれるユーザ属性情報とを照合させ、これらのユーザ属性情報が一致する広告データを抽出させる機能と、抽出された広告データの少なくとも一部の情報を前記ユーザに提示させる機能とを前記通信端末に実現させる。
【０００８】
これらの発明によれば、通信端末は、外部端末から広告データを受信すると、該広告データ内のコンテンツ属性情報と、自端末に予め保持されているユーザ属性情報とを照合する。そして、受信された広告データの中から、各属性情報が一致する広告データを抽出する。コンテンツ属性情報としては、対応するコンテンツの提供対象として相応しいユーザの属性情報が登録されている。このため、自端末のユーザ属性情報と一致する属性情報を有する広告データの一部（例えば、コンテンツの内容を紹介する情報）が通信端末のユーザに提示されることになり、ユーザは、自己の性別、年齢、趣味嗜好などに合った情報のみを閲覧することができる。
【０００９】
ここで、ユーザは、広告データの一部を閲覧した後、提示された情報を基に、取得を所望するコンテンツを更に選択するが、選択されたコンテンツは、必ずしも上記通信端末によって取得されなくともよい。すなわち、通信端末が無線通信回線を使用して通信を行っている場合などには、通信負荷を低減する観点から、有線通信回線に接続可能な端末（例えばパーソナルコンピュータ）によってコンテンツを取得してもよい。但し、この場合には、通信端末から当該端末に対して、コンテンツの位置情報（例えばＵＲＬ）を通知する処理、あるいは、ユーザが位置情報を入力する操作が別途必要になる。
【００１０】
通信端末がコンテンツを取得する場合であっても、通信端末とは別の端末がコンテンツを取得する場合であっても、ユーザが実際に使用することのないコンテンツが送受信されることがなく、通信負荷の増大は抑制される。また、通信時間が短縮される。したがって、本発明は、ユーザの所望するコンテンツのデータ容量が大きい場合に特に効果的である。また、取得されるコンテンツは、ユーザの属性に即したものの中から抽出された後、更にユーザの判断によって選択されたものとなる。その結果、通信端末のユーザは、通信負荷の増大を抑制しつつ、自己の属性に即したコンテンツを取得することが可能となる。
【００１１】
上述した発明においては、広告データの受信主体を通信端末とし、コンテンツの取得主体を通信端末に限定しなかった。しかし、前記通信端末のユーザが、提示された情報を基に、所望のコンテンツを選択し、その送信を要求するものとしても勿論よい。すなわち、本発明に係る通信端末においては、前記提示手段により提示された情報を基に選択されたコンテンツの送信を、前記位置情報の示すコンテンツ提供元（例えばコンテンツサーバ）に対して要求すると共に、当該コンテンツを取得する取得手段を更に備えるものとしてもよい。
【００１２】
【発明の実施の形態】
以下、添付図面を参照して、本発明に係る通信端末の一実施形態について説明する。
【００１３】
まず、図１〜図４を参照して、構成を説明する。
図１は、携帯端末１０を含むコンテンツ取得システム１の全体構成を示す図である。コンテンツ取得システム１は、携帯端末１０と広告配信サーバ２０とコンテンツサーバ３０とを備える。携帯端末１０は、携帯性・可搬性に優れた通信端末であり、広告配信サーバ２０との間で、アクセスポイントＡを経由した双方向の通信が可能である。また、携帯端末１０は、コンテンツサーバ３０との間で、無線基地局Ｂ及び通信網Ｎを経由した双方向の通信が可能である。通信網Ｎは、所定の通信事業者（キャリア）によって管理・運用されるネットワークであってもよいし、不特定多数のユーザを対象としたオープンなネットワーク（例えばインターネット）であってもよい。
【００１４】
広告配信サーバ２０は、店舗内に設置されている。広告配信サーバ２０は、アクセスポイントＡの通信圏内に存在し、かつ、ＩＤが登録された携帯端末に対して、アクセスポイントＡを経由した広告データのプッシュ型配信を行っている。広告配信サーバ２０には、携帯端末１０の端末ＩＤがユーザによって登録されている。したがって、例えば、電源ＯＮ状態、近距離無線ＯＮ状態にある携帯端末１０が、ユーザの移動に伴って上記通信圏内に入ると、広告配信サーバ２０から配信される全ての広告データを受信可能となる。
【００１５】
携帯端末１０と広告配信サーバ２０との間の通信は、Ｂｌｕｅｔｏｏｔｈ（登録商標）により実現される。Ｂｌｕｅｔｏｏｔｈに関しては、周知慣用の近距離無線通信技術であるので、その詳細な説明は省略するが、有効伝送距離が約１０ｍと短いため、アクセスポイントＡの設置箇所に依存した広告データの配信が可能である。このため、店舗案内やクーポンの配布を始めとする、地域を限定した広告の配信はもとより、災害や事故に関する情報の提供にも適している。なお、無線ＬＡＮ（Ｌｏｃａｌ  Ａｒｅａ  Ｎｅｔｗｏｒｋ）やＩｒＤＡ（Ｉｎｆｒａｒｅｄ  Ｄａｔａ  Ａｓｓｏｃｉａｔｉｏｎ）によっても同様の効果が得られる。更に、携帯端末１０と広告配信サーバ２０との間の通信は、ＰＤＣ（Ｐｅｒｓｏｎａｌ  Ｄｉｇｉｔａｌ  Ｃｅｌｌｕｌａｒ）基地局やＰＨＳ（Ｐｅｒｓｏｎａｌ  Ｈａｎｄｙｐｈｏｎｅ  Ｓｙｓｔｅｍ）基地局といったネットワーク基地局を経由した通信であってもよい。
【００１６】
コンテンツサーバ３０は、複数のコンテンツを格納しており、携帯端末１０から要求されたコンテンツを送信する。
【００１７】
携帯端末１０は、コンテンツを要求して取得する通信端末であり、図１に示す様に、機能的には、ユーザ属性情報格納部１１（格納手段に対応）と端末ＩＤ送信部１２と広告データ受信部１３（受信手段に対応）と属性情報照合部１４（照合抽出手段に対応）とお知らせ情報表示部１５（提示手段に対応）とコンテンツ選択部１６とコンテンツ受信部１７（取得手段に対応）とコンテンツ格納部１８とを備える。これら各部は、バスを介して各種信号の送受信が可能な様に接続されている。
【００１８】
これら各構成要素の具体的な処理内容に関しては、動作説明において詳述するものとし、以下、各構成要素の主要な機能について説明する。
ユーザ属性情報格納部１１には、携帯端末１０のユーザの属性を表す情報が更新可能に格納されている。ユーザ属性情報は、性別、年齢、職業、趣味嗜好の四項目から構成される。携帯端末１０のユーザは、これら各項目に対応する属性情報を選択形式若しくは直接入力形式で入力する。
【００１９】
本実施の形態では、選択形式による入力を想定する。性別としては、男性又は女性が格納され、年齢としては、２０歳以下、２１〜３０歳、３１〜４０歳、４１〜５０歳、５１〜６０歳、６１歳以上の何れかが格納される。職業としては、高校生、大学生、会社員、自営業、主婦、無職の何れか１つが格納される。趣味嗜好としては、ニュース、証券、旅行、ショッピング、ゲーム、グルメ、クーポンの内、少なくとも１つが格納される。
【００２０】
このように、ユーザ属性情報は、携帯端末１０にのみ保持され、外部装置（例えば広告配信サーバ２０）に登録されることはないので、セキュリティやプライバシ保護の観点から好適である。
【００２１】
端末ＩＤ送信部１２は、ユーザからの指示に応じて、携帯端末１０のＩＤを広告配信サーバ２０宛に送信する。これにより、携帯端末１０は、広告データの送信対象として登録される。携帯端末１０のＩＤは、携帯端末のユーザを一意に識別可能であれば足りるが、例えば、キャリアから割り当てられた電話番号、端末の製造番号、これらを組み合わせたデータ等である。
【００２２】
広告データ受信部１３は、ＩＤが登録された携帯端末に向けて広告配信サーバ２０からプッシュ配信される広告データを受信し、属性情報照合部１４に出力する。
【００２３】
ここで、図２及び図３を参照して、広告データの構成を説明する。図２に示す様に、広告データ２１１は、コンテンツ属性情報２１１ａと、コンテンツ位置情報２１１ｂと、お知らせ情報２１１ｃとにより構成される。コンテンツ属性情報２１１ａは、広告データ２１１に対応するコンテンツのターゲットであるユーザの属性を示す情報である。コンテンツ位置情報２１１ｂは、広告データ２１１に対応するコンテンツが存在する位置を示す情報である。具体的には、コンテンツをダウンロード可能なサイトのＵＲＬ（Ｕｎｉｆｏｒｍ  Ｒｅｓｏｕｒｃｅ  Ｌｏｃａｔｏｒ）である。お知らせ情報２１１ｃ（広告データの少なくとも一部の情報に対応）は、広告データ２１１に対応するコンテンツの内容を紹介するための情報である。
【００２４】
図３は、図２に示した広告データを構成する各情報の具体例を示す図である。
図３に示す様に、コンテンツ属性情報としては、上記ユーザ属性情報に対応する項目別に、例えば、“女性”、“２０〜３０歳”、“主婦”、“旅行・グルメ”といった情報が記録されている。なお、コンテンツ属性情報は、ユーザに合ったコンテンツを紹介するという本発明の趣旨から、できる限り多くの項目に情報が記録されていることが好ましいが、必ずしもその全ての項目に情報が記録されていくてもよい。すなわち、任意の項目を空欄（図３の“−”）にすることにより、コンテンツの配信対象を限定しないこともできる。例えば、性別、年齢、職業、趣味嗜好の全項目が空欄である広告データに関しては、全ての携帯端末のユーザが、その属性に関わらず、対応するコンテンツを取得対象として選択可能となる。
【００２５】
コンテンツ位置情報としては、広告データに対応するコンテンツを取得可能なサイトのＵＲＬ（例えば、ｈｔｔｐ：／／ａａａ．ｎｅ．ｊｐ，ｈｔｔｐ：／／ｂｂｂ．ｃｏ．ｊｐ，…）が記録されている。携帯端末１０は、このＵＲＬにアクセスすることにより、ユーザ所望のコンテンツをダウンロードする。
【００２６】
お知らせ情報としては、広告データに対応するコンテンツをユーザに紹介するための情報が記録されている。かかる情報は、携帯端末１０のユーザが取得するコンテンツを選択する際に参考とされるものであり、その形式は、文字、画像、音声など任意である。データ形式が文字である場合には、例えば、“アジア料理の店舗案内”、“携帯電話の無料待受け画面”なるテキストデータが、お知らせ情報として記録されている。お知らせ情報は、コンテンツの名称であってもよい。
【００２７】
属性情報照合部１４は、広告データ受信部１３から広告データが入力されたことを契機として、ユーザ属性情報格納部１１に格納されているユーザ属性情報と、上記広告データ内のコンテンツ属性情報とを照合する。照合の結果、各属性情報が一致する場合には、当該広告データ内のお知らせ情報の表示をお知らせ情報表示部１５に指示する。コンテンツ内容の提示にユーザ属性をより木目細やかに反映させる観点から、属性情報の一致は、広告データに記録されている全項目の一致であることが望ましいが、一部の項目の一致でもよい。
【００２８】
お知らせ情報表示部１５は、属性情報照合部１４からの指示に従って、お知らせ情報を表示する。お知らせ情報は広告データの一部であり、広告データは属性情報照合部１４により選別及び抽出されているので、お知らせ情報表示部１５には、携帯端末１０のユーザ属性に合致するお知らせ情報のみが表示される。表示形態に関しては、動作説明で詳述する。
【００２９】
コンテンツ選択部１６は、ユーザからの指示に応じて、お知らせ情報表示部１５に表示されたお知らせ情報の中から更に、実際にダウンロードするコンテンツのお知らせ情報を選択する。これにより、コンテンツサーバ３０に対して送信を要求するコンテンツが決定する。
【００３０】
コンテンツ受信部１７は、コンテンツ選択部１６により選択されたコンテンツの送信をコンテンツサーバ３０に対して要求する。当該要求には、属性情報照合部１４により抽出された広告データの有するＵＲＬが含まれており、コンテンツの位置は、これにより特定される。コンテンツ受信部１７は、上記要求に応じてコンテンツサーバ３０から送信されたコンテンツを、通信網Ｎ及び基地局Ｂ経由で受信する。
コンテンツ格納部１８には、コンテンツ受信部１７により受信されたコンテンツが格納される。
【００３１】
広告配信サーバ２０は、広告データＤＢ２１と端末ＩＤ受信部２２と広告データ送信部２３とを備える。広告データＤＢ２１には、上述した広告データが複数格納されている。端末ＩＤ受信部２２は、携帯端末１０を含む複数の携帯端末から送信された複数のＩＤを受信し、これらを広告データの配信対象として登録する。広告データ送信部２３は、広告データＤＢ２１から広告データを読み出し、登録されている全ての端末ＩＤを宛先として、当該広告データをプッシュ配信する。配信は、アクセスポイントＡを経由して行われる。
【００３２】
コンテンツサーバ３０は、コンテンツの提供主体たるＣＰ（Ｃｏｎｔｅｎｔｓ  Ｐｒｏｖｉｄｅｒ）によって管理されるサーバ装置であり、コンテンツＤＢ３１とコンテンツ送信部３２とを備える。コンテンツＤＢ３１には、例えば、待受け画面、ゲーム、着信メロディ等のコンテンツが、その格納位置を示すＵＲＬと対応付けて格納されている。コンテンツ送信部３２は、携帯端末１０から送信されたコンテンツ送信要求を受信すると、該要求に含まれているＵＲＬを基にコンテンツＤＢ３１からコンテンツを取得して送信する。
【００３３】
ここで、図４を参照して、携帯端末１０のハードウェア構成について説明する。図４は、携帯端末１０のハードウェア構成を示すブロック図である。図４に示す様に、携帯端末１０は、物理的には、制御装置１０ａ、入力装置１０ｂ、メモリ１０ｃ、表示装置１０ｄ、記憶装置１０ｅ、移動体通信装置１０ｆ、音声処理装置１０ｇ、及び近距離無線通信装置１０ｈを備えて構成される。これら各装置は、バス１０ｉを介して相互に各種信号の入出力が可能な様に電気的に接続されている。
【００３４】
具体的には、制御装置１０ａは例えばＣＰＵ（Ｃｅｎｔｒａｌ  Ｐｒｏｃｅｓｓｉｎｇ  Ｕｎｉｔ）であり、入力装置１０ｂは例えば操作ボタンやダイヤルである。メモリ１０ｃはＲＡＭ（Ｒａｎｄｏｍ  Ａｃｃｅｓｓ  Ｍｅｍｏｒｙ）といった揮発性の半導体メモリである。表示装置１０ｄは、ＬＣＤ（Ｌｉｑｕｉｄ  Ｃｒｙｓｔａｌ  Ｄｉｓｐｌａｙ）やＥＬ（ＥｌｅｃｔｒｏＬｕｍｉｎｅｓｃｅｎｔ）ディスプレイである。記憶装置１０ｅは、フラッシュＲＯＭ（Ｒｅａｄ  Ｏｎｌｙ  Ｍｅｍｏｒｙ）やＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）を始めとする不揮発性の半導体メモリである。移動体通信装置１０ｆは、基地局Ｂ及び通信網Ｎを経由した無線通信の制御を行う装置でありアンテナＡ１を含む。音声処理装置１０ｇは、ＡＤ変換器、増幅器等により構成され、マイクＭ、スピーカＳを備える。近距離無線通信装置１０ｈは、アクセスポイントＡを経由した近距離無線通信の制御を行う装置である。
【００３５】
上記ハードウェア構成と機能的構成との対応関係を以下に示す。携帯端末１０に関して、ユーザ属性情報格納部１１及びコンテンツ格納部１８の有する機能は、物理的な構成要素としての記憶装置１０ｅにより実現される。端末ＩＤ送信部１２及び広告データ受信部１３の有する機能は、近距離無線通信装置１０ｈにより実現される。属性情報照合部１４の有する機能は、制御装置１０ａが所定のプログラムを実行することにより実現される。お知らせ情報表示部１５の有する機能は、表示装置１０ｄにより実現される。コンテンツ選択部１６の有する機能は、入力装置１０ｂにより実現される。コンテンツ受信部１７の有する機能は、移動体通信装置１０ｆにより実現される。
【００３６】
次に、図５及び図６を参照して、コンテンツ取得システム１の動作を説明する。
図５のＳ１では、携帯端末１０のユーザからの指示により、ユーザ属性情報がユーザ属性情報格納部１１に格納される。
Ｓ２では、携帯端末１０のユーザからの指示に従って、端末ＩＤ送信部１２により、携帯端末ＩＤが広告配信サーバ２０宛に送信される。
【００３７】
Ｓ３では、Ｓ２で送信された携帯端末ＩＤが端末ＩＤ受信部２２により受信される。受信された携帯端末ＩＤは、広告配信サーバ２０において保持され、これを以って、広告データ配信のユーザ登録が完了する。
広告配信サーバ２０は、その通信圏内に登録ユーザの携帯端末が存在するか否かを、携帯端末の発する電波により常時監視している。広告配信サーバ２０は、携帯端末１０が通信圏内に入ったことを検知すると（Ｓ４；ＹＥＳ）、広告データＤＢ２１から広告データを読み出し、広告データ送信部２３により携帯端末１０宛に送信する（Ｓ５）。
【００３８】
なお、本実施の形態では、広告配信サーバ２０は、ＩＤの登録を受け付けた携帯端末に向けてのみ広告データを配信するものとしたが、携帯端末ＩＤの登録、未登録を問わず、通信エリアに在圏する全ての携帯端末に対して、広告データを配信するものとしてもよい。何れの態様を採っても、広告配信サーバ２０から配信されるデータは広告データのみであり、その容量は、コンテンツ自体を配信する場合と比較して極めて小さい。
【００３９】
Ｓ６では、Ｓ５で配信された全ての広告データが、携帯端末１０の広告データ受信部１３により受信される。
Ｓ７では、Ｓ６における広告データの受信を契機として、属性情報照合部１４による属性情報の照合が開始される。すなわち、属性情報照合部１４は、広告データ受信部１３から入力された全ての広告データからコンテンツ属性情報を取得し、各コンテンツ属性情報と、ユーザ属性情報格納部１１から取得されたユーザ属性情報を比較照合する。当該照合処理の結果コンテンツ属性情報がユーザ属性情報と一致した広告データが抽出され、抽出された広告データのお知らせ情報が、お知らせ情報表示部１５に出力される。一方、各属性情報が一致しない広告データは、この時点で破棄される。
【００４０】
広告データは、ユーザの属性情報に基づいて抽出されるので、ユーザによるアクセス履歴に基づく抽出と比較して、選択されるコンテンツの内容にユーザ属性がより適確に反映される。また、ユーザが携帯端末１０に予め登録しておいた属性情報に合致しない広告データは、受信直後に破棄されるので、ユーザの閲覧に供されることはない。すなわち、ユーザがお知らせ情報を参照する時点で、広告データの絞り込みが為されており、お知らせ情報を表示・選択する処理の効率化が図られる。
【００４１】
Ｓ８では、Ｓ７で出力されたお知らせ情報がお知らせ情報表示部１５に表示される。
ここで、携帯端末１０のユーザが、２９歳男性の大学生であり、趣味嗜好は、ニュース、旅行、クーポン、ゲームである場合を想定し、Ｓ８で表示されるお知らせ情報を例示する。
【００４２】
図６（ａ）は、Ｓ８で表示されるお知らせ情報の一例を示す図である。図６（ａ）に示す様に、携帯端末１０の表示画面１５１には、Ｓ７で抽出された広告データのお知らせ情報が選択可能に表示されている。図３に示した６種類の広告データ２１２〜２１７の内、携帯端末１０のユーザの属性に合致する広告データは、ユーザの上記属性を勘案すると、広告データ２１２，２１４，２１６の３種類である。したがって、これら３種類の広告データに含まれるお知らせ情報２１２ｃ，２１４ｃ，２１６ｃ（図３参照）が表示されることになる。これらのお知らせ情報には、対応するコンテンツが格納されているＵＲＬのリンクがはられている。このため、ユーザが、これらのお知らせ情報の中から一又は複数のお知らせ情報を操作ボタンにより選択することで、希望のコンテンツをダウンロードすることができる。
【００４３】
お知らせ情報は、図６（ｂ）に示す様に、対応するＵＲＬと併せて表示するものとしてもよい。この表示形態１５２においても、各お知らせ情報に対応するＵＲＬにリンクがはられており、ユーザが、これらの中から一又は複数のＵＲＬを指定することで、指定されたＵＲＬに位置するコンテンツをダウンロードすることができる。
【００４４】
図５に戻り、Ｓ９において、コンテンツ選択部１６によりお知らせ情報が選択されると（Ｓ９；ＹＥＳ）、コンテンツ受信部１７は、コンテンツの取得要求があったものと判断し、選択されたお知らせ情報に対応するＵＲＬを宛先として、コンテンツの送信要求を送信する（Ｓ１０）。
【００４５】
Ｓ１０で送信されたコンテンツ送信要求は、基地局Ｂ、通信網Ｎを経由して、コンテンツサーバ３０のコンテンツ送信部３２により受信される（Ｓ１１）。
Ｓ１２では、上記ＵＲＬにより特定されるコンテンツがコンテンツＤＢ３１から取得され、要求元である携帯端末１０宛に送信される。
Ｓ１２で送信されたコンテンツは、コンテンツ受信部１７により受信され、コンテンツ格納部１８に格納される（Ｓ１３）。
【００４６】
なお、Ｓ９において、コンテンツ選択部１６によりお知らせ情報が選択されなかった場合には（Ｓ９；ＮＯ）、携帯端末１０は、現時点ではコンテンツの取得を行わないものと判断し、Ｓ７で抽出された広告データを一旦格納する（Ｓ１４）。ここで格納された広告データは、携帯端末１０において、コンテンツの取得に再度使用することもできるし、ＰＣ（Ｐｅｒｓｏｎａｌ  Ｃｏｍｐｕｔｅｒ）等の別の通信端末に移行した後に、該通信端末において、コンテンツの取得に使用することもできる。
【００４７】
以上説明した様に、コンテンツ取得システム１によれば、携帯端末１０は、ユーザ属性情報に基づいて広告データを抽出し、これに対応するコンテンツの内容がユーザに提示される。したがって、ユーザは、自己の属性に適したコンテンツの内容のみを参照して、実際にダウンロードするコンテンツを決定することができ、効率的である。また、コンテンツサーバ３０から携帯端末１０に対しては、ユーザが実際にダウンロードすることを決定したコンテンツのみが送信されるので、通信データ容量は必要最小限となり、通信負荷の増大が抑制される。
【００４８】
本実施の形態においても、コンテンツ属性情報の送信先とコンテンツ自体の送信先とが共に携帯端末１０であることから、ユーザの所望するコンテンツのデータ容量が大きい場合あるいは多数存在する場合には、通信データ容量が増大することが懸念される。しかし、この様な場合には、比較的データ容量の少ない広告データのみを携帯端末１０により無線回線経由で受信し、コンテンツそのものは、自宅のＰＣ等により有線回線経由で受信することで、かかる懸念は解消される。
【００４９】
続いて、上述した一連のコンテンツ取得処理を携帯端末１０に実行させるためのコンテンツ取得処理プログラムについて説明する。図７に示す様に、コンテンツ取得処理プログラム４１は、記録媒体４０に形成されたプログラム格納領域４０ａに格納されている。コンテンツ取得処理プログラム４１は、コンテンツ取得処理を統括的に制御するメインモジュール４１ａと、ユーザ属性情報格納モジュール４１ｂと、端末ＩＤ送信モジュール４１ｃと、広告データ受信モジュール４１ｄと、属性情報照合モジュール４１ｅと、お知らせ情報表示モジュール４１ｆと、コンテンツ選択モジュール４１ｇと、コンテンツ受信モジュール４１ｈと、コンテンツ格納モジュール４１ｉとを、構成単位として有する。
【００５０】
ユーザ属性情報格納モジュール４１ｂを実行させることによって格納されるデータは、携帯端末１０のユーザ属性情報格納部１１に格納されるデータと同様である。端末ＩＤ送信モジュール４１ｃを実行させることによって実現する機能は、端末ＩＤ送信部１２の機能と同様である。広告データ受信モジュール４１ｄを実行させることによって実現する機能は、広告データ受信部１３の機能と同様である。属性情報照合モジュール４１ｅを実行させることによって実現する機能は、属性情報照合部１４の機能と同様である。お知らせ情報表示モジュール４１ｆを実行させることによって表示されるデータは、お知らせ情報表示部１５に表示されるデータと同様である。コンテンツ選択モジュール４１ｇを実行させることによって実現する機能は、コンテンツ選択部１６の機能と同様である。コンテンツ受信モジュール４１ｈを実行させることによって実現する機能は、コンテンツ受信部１７の機能と同様である。コンテンツ格納モジュール４１ｉを実行させることによって格納されるデータは、コンテンツ格納部１８に格納されるデータと同様である。
【００５１】
また、コンテンツ取得処理プログラム４１は、その全部若しくは一部が、伝送媒体を介して伝送され、携帯端末１０により受信されて記録（インストールを含む）される構成としてもよい。
【００５２】
なお、本実施の形態に記載の態様は、本発明に係る通信端末の好適な一例であり、本発明はかかる態様に限定されるものではない。例えば、本実施の形態では、通信端末として、携帯電話やＰＤＡ（Ｐｅｒｓｏｎａｌ  Ｄｉｇｉｔａｌ  Ａｓｓｉｓｔａｎｃｅ）、ノート型ＰＣ等の携帯端末を想定して説明したが、これらに限らず、通信機能を備えた情報機器（例えばデスクトップ型ＰＣ）であればよい。更に、通信端末は、端末自体に通信機能をもたないものであってもよく、この場合でも、クレイドル等の拡張機器を介してデータ通信が可能である。
【００５３】
【発明の効果】
本発明によれば、通信端末のユーザは、通信負荷の増大を抑制しつつ、自己の属性に即したコンテンツを取得することが可能となる。
【図面の簡単な説明】
【図１】コンテンツ取得システムの全体構成及び携帯端末の機能的構成を示す図である。
【図２】広告データの構成を示す図である。
【図３】広告データ内部の情報格納例を示す図である。
【図４】携帯端末のハードウェア構成を示す図である。
【図５】コンテンツ取得処理を説明するためのフローチャートである。
【図６】図６（ａ）は、携帯端末におけるお知らせ情報の表示形態の一例を示す図であり、図６（ｂ）は、お知らせ情報の表示形態の更に別の一例を示す図である。
【図７】コンテンツ取得処理プログラムの構成を示す図である。
【符号の説明】
１…コンテンツ取得システム、１０…携帯端末、１１…ユーザ属性情報格納部、１３…広告データ受信部、１４…属性情報照合部、１５…お知らせ情報表示部、１７…コンテンツ受信部、２０…広告配信サーバ、３０…コンテンツサーバ、４１…コンテンツ取得処理プログラム
【図１】
2004355555.tif 000003
【図２】
2004355555.tif 000004
【図３】
2004355555.tif 000005
【図４】
2004355555.tif 000006
【図５】
2004355555.tif 000007
【図６】
2004355555.tif 000008
【図７】
2004355555.tif 000009